(57)【要約】【課題】これを壁紙、ブックカバー等に使用した場合において、人目を十分に引くことが可能であるとともに、長期間経過しても飽きがくることを防止可能とする糊付きシートを提供すること。【解決手段】コルクシート等により形成されたシート本体（２）と、該シート本体（２）の下面に形成された粘着層（３）と、該粘着層（３）に着脱自在に貼着された剥離紙（４）と、前記シート本体（２）の上面における全域に備えられたホログラムシート（５）と、を具備したことを特徴としており、これにより、見る角度によって色や模様が変化するホログラムシートの効果とも相まって、これをブックカバーや壁紙として使用した場合には、ブックカバーや壁等を目立たせることができるとともに、長期間の使用によっても飽きることがないものにすることが可能である。【選択図】図１
0003104480.tif 000002
【実用新案登録請求の範囲】
【請求項１】
シート本体（２）と、
該シート本体（２）の下面に形成された粘着層（３）と、
該粘着層（３）に着脱自在に貼着された剥離紙（４）と、
前記シート本体（２）の上面の任意の箇所に備えられたホログラムシート（５）と、を具備したことを特徴とする糊付きシート。
【請求項２】
前記シート本体（２）としてコルクシートを用いたことを特徴とする請求項１に記載の糊付きシート。
【考案の詳細な説明】
【技術分野】
【０００１】
本考案は糊付きシートに係り、より詳しくは、表面にホログラムシートを装着した糊付きシートに関する。
【背景技術】
【０００２】
従来から、ブックカバー、あるいは壁紙として糊付きシートが提供されており、これを用いることにより、例えば室内等の壁を好みの模様に飾ることを可能としており、あるいは、書籍等の表面を好みの模様等で飾ることが可能となる。
【０００３】
ここで、図２は、従来から一般的に用いられている糊付きシートの構造を示す断面図であり、図において３１が従来の糊付きシートである。
【０００４】
そして、この従来の糊付きシート３１では、コルクシートにより構成されるシート本体３２を備えており、このシート本体３２の裏面には接着層３３が形成され、更に、この接着層３３の露出面を覆うようにして、接着層３３には剥離紙３４が、着脱自在に貼着されている。
【０００５】
次に、この従来の糊付きシートの使用方法等について説明すると、例えば壁紙として使用する場合には、この糊付きシート３１を貼り付ける壁等の大きさに合わせた形状寸法に糊付きシート３１を切り、剥離紙３４を剥がして接着層３３を露出させて、その後に、この露出させた接着層３４を壁等に重ね合わせ、これにより壁等に糊付きシート３１を貼り付けて壁紙とする。また、ブックカバーとして用いる場合においても、書籍、あるいは市販のブックカバーの大きさに合わせた形状寸法に糊付きシート３１を切り取り、剥離紙３４を剥がして接着層３３を露出させて、その後に、この露出させた接着層３４を書籍の表面あるいは、使用しているブックカバーの表面に貼り付け、これによりブックカバーを形成する。
【０００６】
このように、糊付きシートを用いることにより、壁や書籍等を好みの模様で飾ることが可能となる。
【考案の開示】
【考案が解決しようとする課題】
【０００７】
ところで、前述した従来の糊付きシートでは、シート本体をコルクシートで形成しており、これによりコルク特有の模様を得ることが可能であるが、このコルクシートでは、長期間使用した場合には飽きがきてしまうという問題点が考えられる。
【０００８】
また、その他、模様等を描いた糊付きシートも提供されてはいるが、これらの模様等は静的なものであるために、見る者に与える刺激等も少なく、そのため、特に、展示会におけるブースのように目立つことが望まれる箇所には不向きであった。
【０００９】
更に、ブックカバー、絵手紙等に使用する場合においても、静的なおとなしい感じのものを欲する場合は格別、華やかな模様等を欲する場合には不向きであった。
【００１０】
更にまた、糊付きシートは従来から、壁紙やブックカバーのほかに、例えば飲食店等において、カタログ、メニュー等を飾るために用いられることもあるが、かかる場合、写真等に工夫を凝らした場合でも、結局は静的な広告手段であり変化に乏しいため、人目を引きづらいという問題点が考えられる。
【００１１】
そこで、本考案は、これを壁紙、ブックカバー等に使用した場合において、人目を十分に引くことが可能であるとともに、長期間経過しても飽きがくることを防止可能とする糊付きシートを提供することを課題としている。
【課題を解決するための手段】
【００１２】
本考案の糊付きシートは、シート本体と、このシート本体の下面に形成された粘着層と、粘着層に着脱自在に貼着された剥離紙と、前記シート本体の上面の任意の箇所に備えられたホログラムシートとを具備したことを特徴としている。
【考案の効果】
【００１３】
近年、三次元画像としてのホログラムが脚光を浴びており、各種の分野において用いられている。そして、最近になり、このホログラムを描いたシートとしてのホログラムシートが提供されており、このホログラムシートによれば、シートに描かれた模様等が立体的に見えるとともに、光の反射とも相まって、見る角度によって模様が変化するという特徴を有している。
【００１４】
そのために、シート本体の上面にこのホログラムシートを装着した本考案においては、これを壁紙やブックカバーとして用いた場合は、壁、書籍等を目立たせることができ、人目を引くことができるとともに、長期間の使用によっても飽きがこないものにすることが可能となる。
【考案を実施するための最良の形態】
【００１５】
本考案の糊付きシートでは、例えばコルクシートにより構成されるシート本体の裏面に接着層が形成されており、この接着層の下面には、接着層を覆い隠す配置で、剥離紙が、着脱自在に貼着されている。
【００１６】
そして、前記シート本体の上面、即ち接着層を形成した側と反対側には、ホログラムシートが貼着されている。
【実施例１】
【００１７】
本考案の糊付きシートの実施例について図面を参照して説明すると、図１は、本実施例の糊付きシートの構造を示した断面図であり、図において１が本実施例の糊付きシートである。
【００１８】
そして、本実施例の糊付きシート１は、シート本体２を備えており、本実施例においてこのシート本体２は、平面視野を略四角形としたコルクシートを用いている。また、シート本体２の寸法は特に限定されず、ブックカバー用の場合には小さめの寸法にし、壁紙用の場合には大きめの寸法にするとよい。
【００１９】
次に、本実施例の糊付きシート１では、シート本体２の下面側には接着層３が形成されており、この接着層３の下面側、即ち、接着層３が露出している側には、剥離紙４が、着脱自在に貼着されている。そして、この剥離紙４を剥がして接着層３を露出させることにより、本実施例の糊付きシート１を所望する箇所に貼り付けることを可能としている。
【００２０】
次に、図において５はホログラムシートである。即ち、本実施例の糊付きシート１では、前記シート本体２の上面側の全域にホログラムシート５を貼着しており、これにより、本実施例の糊付きシート１をブックカバーや壁紙として使用した場合において、書籍、壁等を目立たせることを可能としている。
【００２１】
即ち、前述したように、このホログラムシートは、シートに描かれた模様等が立体的に見えるとともに、光の反射とも相まって、見る角度によって色や模様が変化するという特徴を有している。そのために、このホログラムシートをシート本体の上面に貼着した本実施例の糊付きシートでは、このホログラムシートの効果により、糊付きシート全体を目立たせることができ、また、見る角度によって色や模様が変化するために、長期間の使用によっても飽きることのない糊付きシートにすることが可能である。従って、この糊付きシートをブックカバーとして用いた場合や、壁紙として用いた場合には、人目を十分に引くとともに長期間の使用によっても飽きられることのないブックカバー、壁紙にすることが可能である。
【００２２】
なお、本実施例において用いた前記ホログラムシート６としては、一般的に市販されているものを用いており、その詳細な構造等の説明は省略する。
【００２３】
また、前述の実施例では、シート本体の上面全域にホログラムシート５を貼着した形態を説明したが、ホログラムシートを貼着する箇所は特に限定されず、シート本体２の任意の箇所でよい。従って、模様等を描くようにしてホログラムシート６を貼着してもよい。
【００２４】
更に、前述の実施例においては、シート本体としてコルクシートを用いた場合について説明したが、シート本体の素材は特に限定されず、必ずしもコルクシートを用いる必要はない。従って、樹脂、紙等によってシート本体を形成してもよい。
【産業上の利用可能性】
【００２５】
本考案の糊付きシートでは、シート本体とこのシート本体の裏面に形成した接着層とこの接着層の下面に着脱自在に装着した剥離紙とにより構成される糊つきシートにおいて、シート本体の上面にホログラムシートを備えたことを特徴としており、これにより糊付きシート全体を目立たせるとともに、長期間の使用でも飽きることのない糊付きシートとしているため、接着層を備えたシート全般に適用可能である。
【図面の簡単な説明】
【００２６】
【図１】本考案の糊付きシートの実施例の断面図である。
【図２】従来の糊付きシートの実施例の断面図である。
【符号の説明】
【００２７】
１    糊付きシート
２    シート本体
３    接着層
４    剥離紙
５    ホログラムシート
【図１】
0003104480.tif 000003
【図２】
0003104480.tif 000004